(57)【要約】  本発明は、表示率の変化に対応してプリドライブ回路の電源電圧を制御するプラズマディスプレイ装置に関する。  本発明のプラズマディスプレイ装置では、入力される信号から表示画面の表示率を検出し、この表示率に基づいて、サステイン出力素子へ供給するドライブパルスの振幅を制御することを特徴とし、また、サステイン期間に流れるサステイン電流をサステイン電流検出回路によって検出し、この検出結果に基づいて、サステイン出力素子へ供給するドライブパルスの振幅を制御することを特徴とする。【特許請求の範囲】
【請求項１】
並行する第１および第２の電極が互いに隣接して複数配置されると共に、前記第１および第２の電極に交差するように第３の電極が複数配置されて成り、前記第１および第２の電極に維持放電パルスを印加することにより発光表示を行うプラズマディスプレイ装置であって、
入力された映像信号に基づいて、表示する画面の表示率を検出する表示率検出手段と、
前記維持放電パルスを生成する駆動回路とを有し、
前記駆動回路は、前記維持放電パルスの出力段素子と、前記出力段素子の駆動タイミングを決定するドライブパルスを供給するプリ駆動部と、前記ドライブパルスの振幅値を制御する電圧制御回路を含んで構成され、
前記電圧制御回路は、前記表示率に基づいて前記ドライブパルスの振幅値を制御することを特徴とするプラズマディスプレイ装置。
【請求項２】
前記電圧制御回路は、前記表示率に基づいて前記プリ駆動部の電源電圧を制御することにより、前記ドライブパルスの振幅値を制御するように構成したことを特徴とする請求項１に記載のプラズマディスプレイ装置。
【請求項３】
前記電圧制御回路は、前記表示率が高いときに前記ドライブパルスの振幅値を大きくするように制御することを特徴とする請求項１に記載のプラズマディスプレイ装置。
【請求項４】
前記電圧制御回路は、前記表示率が高いときに前記プリ駆動部の電源電圧値を大きくするように制御することを特徴とする請求項２に記載のプラズマディスプレイ装置。
【請求項５】
並行する第１および第２の電極が互いに隣接して複数配置されると共に、前記第１および第２の電極に交差するように第３の電極が複数配置されて成り、前記第１および第２の電極に維持放電パルスを印加することにより発光表示を行うプラズマディスプレイ装置であって、
前記維持放電パルスにより発光表示する際のサステイン電流値を検出するサステイン電流検出回路と、
前記維持放電パルスを生成する駆動回路とを有し、
前記駆動回路は、前記維持放電パルスの出力段素子と、前記出力段素子の駆動タイミングを決定するドライブパルスを供給するプリ駆動部と、前記ドライブパルスの振幅値を制御する電圧制御回路を含んで構成され、
前記電圧制御回路は、サステイン電流値に基づいて前記ドライブパルスの振幅値を制御することを特徴とするプラズマディスプレイ装置。
【請求項６】
前記サステイン電流検出回路は、抵抗を含んで構成したことを特徴とする請求項５に記載のプラズマディスプレイ装置。
【請求項７】
前記サステイン電流検出回路は、コイルを含んで構成したことを特徴とする請求項５に記載のプラズマディスプレイ装置。
【請求項８】
前記サステイン電流検出回路は、前記出力段素子に流れる電流を検出する電流検出トランスを含んで構成したことを特徴とする請求項５に記載のプラズマディスプレイ装置。
【発明の詳細な説明】
【技術分野】
【０００１】
本発明は、プラズマディスプレイ装置に関し、さらに具体的には、本発明の好適実施形態は、表示率の変化に対応してプリドライブ回路の電源電圧を制御するプラズマディスプレイ装置を提供する。
【背景技術】
【０００２】
従来から、プラズマディスプレイ装置の技術分野では、複数の第１及び第２の電極を隣接して配置し、すべての電極間で表示ラインを形成するＡｌｔｅｒｎａｔｅ
Ｌｉｇｈｔｉｎｇ ｏｆ Ｓｕｒｆａｃｅｓ（以下、ＡＬＩＳと略す。）方式の装置が知られている。
ＡＬＩＳ 方式のプラズマディスプレイパネルでは、ｎ本（例えば５１２本）のＹ電極（第１の電極）の奇数電極及び偶数電極とｎ＋１本のＸ電極（第２の電極）の奇数電極及び偶数電極を隣接して交互に配置して、すべての表示電極（Ｙ電極とＸ電極）の間で表示発光を行い、２ｎ＋１本の表示電極で、２ｎ本の表示ラインを形成して、表示を奇数ラインと偶数ラインで時間的に分割して行う、いわゆるインタレース走査を行っている。【０００３】
図６は、従来のＡＬＩＳ 方式のプラズマディスプレイパネルの駆動回路の概要を示す図である。Ｘ電極とＹ電極が平行に交互に配置され、それに垂直な方向にアドレス電極が配置される。参照番号Y１は奇数番目のＹ電極を、Y２は偶数番目のＹ電極を、X１は奇数番目のＸ電極を、X２は偶数番目のＸ電極を示す。Ｙ電極はスキャンドライバSDに接続されている。スキャンドライバSDにはスイッチSWが設けられており、アドレス期間には順にスキャンパルスが印加されるように切り換えられ、維持放電期間には、奇数Ｙ電極Y１は第１Ｙサステインパルス発生回路に、偶数Ｙ電極Y２は第２Ｙサステインパルス発生回路に接続される。奇数Ｘ電極X１は第１Ｘサステインパルス発生回路に、偶数Ｘ電極X２は第２Ｘサステインパルス発生回路に接続される。アドレス電極は、アドレスドライバに接続される。【０００４】
一般的に、プラズマディスプレイ装置のサステイン回路（維持電圧回路）の出力素子を駆動するためのドライブパルスの振幅は一定である。
図７に、プラズマディスプレイ装置のサステイン回路の従来例を示す。
図７において、ＰＤ１はサステイン回路の出力素子を駆動するドライブパルスを形成するプリドライブ回路１である。ＰＤ１では、入力された信号ＩＮ１〜ＩＮ４に基づいて、出力素子Ｑ１〜Ｑ４を駆動するドライブパルスを形成している。
ＶｄはＰＤ１の電源電圧であり、従来例では、表示する画面の表示率に関わらず、Ｖｄは一定の電圧であった。【０００５】
一方、他の従来技術として、スキャン回路（走査回路）に関しては、スキャンＩＣ内のＩＧＢＴ（絶縁ゲートバイポーラトランジスタ）素子におけるゲート・コレクタ間容量を利用し、ＩＧＢＴに電流が流れている際に、ゲート電圧を上昇させる方法がＩＤＭ’０４  ＰＤＰ３−３（富士電機）に報告されている。【０００６】
また、特許文献１には、交流駆動型プラズマディスプレイパネル用ドライバにおいて、ｎＭＯＳトランジスタスイッチを用い、子スイッチ回路で、２値制御信号に応答して、このｎＭＯＳトランジスタスイッチのゲート電圧をソース電圧又はソース電圧よりも所定電圧だけ高い電圧にすることにより、維持・書き込み電圧が変動してもｎＭＯＳトランジスタスイッチの誤動作が防止され、したがって書き込みパルスを正確に生成する発明が開示されている。【０００７】
【特許文献１】特開平５−２６５３９６号公報
【発明の開示】
【発明が解決しようとする課題】
【０００８】
プラズマディスプレイ装置のサステイン回路の出力素子を駆動するためのドライブパルスの振幅が一定の場合には、表示率（プラズマディスプレイ画面上の全画面領域に対する表示領域の割合）が小さく、サステイン電流が小さい時は、必要以上のドライブパルスを出力素子へ供給する可能性がある。
一般に、プラズマディスプレイ装置では、ピーク輝度を上げるため、表示率が小さい時には、各サブフレームを構成するサステインパルス数を多くするため、上記必要以上の振幅のドライブパルスを出力素子へ供給することによる消費電力の増加が課題となる。
一方、表示率が小さく、サステイン電流が小さい時にプリドライブ回路１の消費電力が最小となるように上記ドライブパルスの振幅を調整した場合、表示率が大きく、サステイン電流が大きい時にドライブパルスの振幅が不足し、出力素子の導通抵抗が十分に小さくできず、プラズマディスプレイパネルの動作マージンが小さくなり、画面のチラツキ等が生じる可能性が高くなる。【０００９】
出力素子の導通抵抗が大きい場合、サステイン電流が流れた際の電圧降下が大きくなるため、正常表示可能なサステイン回路の電源電圧の最小値が上昇する。この結果、表示率が大きく、サステイン電流が大きい時に、上記正常表示電圧以下に低下し、正常な放電が行われない箇所が生じる可能性がある。
これに対し、ＩＤＭ’０４  ＰＤＰ３−３（富士電機）で報告された方法は、出力電流の大きさによりドライブパルスの振幅を変化させる一手段と考えられるが、上記方法をプラズマディスプレイ装置のサステイン回路へ用いた場合、ゲート・コレクタ間の容量を大きくしなければならないため、ゲートをドライブする回路の消費電力が上昇する可能性がある。また、出力端子（コレクタ端子）に発生するノイズ成分がゲート電圧に重畳され、出力素子が誤動作する可能性がある。【００１０】
本発明の目的は、ゲート・コレクタ間の容量を大きくすることなく、サステイン回路の出力素子へ表示率に応じた最適なドライブパルスの振幅を供給できるプラズマディスプレイ装置を提供することにある。
【課題を解決するための手段】
【００１１】
本発明のプラズマディスプレイ装置では、入力される信号から表示画面の表示率を検出し、この表示率に基づいて、サステイン出力素子へ供給するドライブパルスの振幅を制御することを特徴としている。
また、本発明のプラズマディスプレイ装置では、サステイン期間に流れるサステイン電流をサステイン電流検出回路によって検出し、この検出結果に基づいて、サステイン出力素子へ供給するドライブパルスの振幅を制御することを特徴としている。
【発明の効果】
【００１２】
本発明では、表示率が大きくサステイン電流が大きい時、出力素子のオン抵抗を下げ、プラズマディスプレイの動作マージンを確保することができる。反対に、表示率が小さくサステイン電流が小さい時には、ドライブパルスの振幅を小さくし、プリドライブ回路１における消費電力を小さくすることができる。【００１３】
本発明を用いることにより、ゲート・コレクタ間の容量を大きくすることなく、表示率に応じた最適な振幅のドライブパルスをサステイン回路の出力素子へ供給でき、上記ドライブパルスの制御を行った場合でも、従来回路（ＩＤＭ’０４  ＰＤＰ３−３（富士電機））を用いた場合に生じる可能性があった消費電力増加、ノイズによる誤動作を防止することができる。
【図面の簡単な説明】
【００１４】
【図１】図１は、本発明のプラズマディスプレイ装置のサステイン回路の第１の実施例を示す図である。
【図２】図２は、本発明の第１実施例のドライブ電源電圧駆動回路の具体例１を示す図である。
【図３】図３は、本発明の第１実施例のドライブ電源電圧駆動回路の具体例２を示す図である。
【図４】図４は、本発明のプラズマディスプレイ装置のサステイン回路の第２の実施例を示す図である。
【図５】図５は、本発明のプラズマディスプレイ装置のサステイン回路の第３の実施例を示す図である。
【図６】図６は、プラズマディスプレイパネルの駆動回路の従来例のＡＬＩＳ方式の概要を示す図である。
【図７】図７は、プラズマディスプレイ装置のサステイン回路の従来例を示す図である。
【符号の説明】
【００１５】
１    プリドライブ回路
２    ドライブ電圧制御回路
３    表示率検出回路
【発明を実施するための最良の形態】
【００１６】
以下、本発明の実施の形態について、図を用いて説明する。
【実施例１】
【００１７】
図１は、例えば図６に示すプラズマディスプレイパネルを有する本発明のプラズマディスプレイ装置のサステイン回路の第１の実施例である。
図１において、ＰＤ１はサステイン回路の出力素子を駆動するドライブパルスを形成するプリドライブ回路であり、ＰＤ１では、入力された信号ＩＮ１〜ＩＮ４に基づいて、出力素子Ｑ１〜Ｑ４を駆動するドライブパルスを形成している。
図１におけるＶＤＣ２は、ドライブ電圧制御回路であり、制御電圧ＣＮＴに基づいて、プリドライブ回路１の電源電圧Ｖｄ１を制御しており、表示率検出回路３により検出されたプラズマディスプレイ装置の表示率が供給されている。【００１８】
図２に、図１に記載されたドライブ電圧制御回路２の具体例を示す。
図２において、ＱＤ１はトランジスタ、Ａ１は差動増幅回路、Ｒ１，Ｒ２は抵抗である。抵抗Ｒ１，Ｒ２では出力電圧Ｖｄ１を検出し、この検出結果をＡ１へ入力している。差動増幅回路Ａ１では、差動増幅回路Ａ１へ入力される制御電圧ＣＮＴに基づいて、トランジスタＱＤ１のベース電圧を変化させ、出力電圧Ｖｄ１を制御している。
図２のドライブ電圧制御回路２において、表示率の変動に応じて、制御電圧ＣＮＴを切り替える際の境界で生じる段差を緩和するために、制御電圧ＣＮＴと差動増幅回路Ａ１の間にヒステリシス回路ＨＳを挿入することが望ましい。【００１９】
図２に記載されたドライブ電圧制御回路２では、制御電圧ＣＮＴとして、入力映像信号から画面の表示率を検出する表示率検出回路の出力信号を用いることにより、表示率の変化に対応してプリドライブ回路１の電源電圧Ｖｄ１を制御することができる。
即ち、図１に示したプラズマディスプレイ装置のサステイン回路では、上記電圧制御回路ＶＤＣ２を用いることにより、表示率が高い時、出力素子Ｑ１〜Ｑ４へ供給するドライブパルスの振幅を大きくすることができ、この結果、出力素子Ｑ１〜Ｑ４の導通電圧を小さくすることができる。
一方、表示率が低い時には、ドライブパルスの振幅を小さくし、Ｑ１〜Ｑ４をドライブする上で必要最小限の振幅に設定し、プリドライブ回路１での消費電力を最小に抑えることができる。【００２０】
上記ドライブパルスの振幅を表示率に応じて制御することにより、サステイン回路の出力素子へ表示率に応じた最適なドライブパルスの振幅を供給することができる。よって表示率の高い時の動作マージンの拡大（正常表示可能なサステイン電源電圧の最小値をより小さくすること）と、表示率が小さいときのプリドライブ回路１の消費電力低減の両立が可能となる。
本発明を用いた場合、従来回路（（ＩＤＭ’０４  ＰＤＰ３−３（富士電機））を用いた場合に生じる可能性があった消費電力増加、ノイズによる誤動作を防止することができる。【００２１】
図３には、図１に記載されたドライブ電圧制御回路２の他の具体例を示す。
図３に記載されたドライブ電圧制御回路２において、Ｑ５，Ｑ６はカレントミラー回路を構成するトランジスタであり、電流に応じてゲート電圧を制御することができる。
図３のドライブ電圧制御回路２において、制御電圧ＣＮＴとして、入力映像信号から画面の表示率を検出する表示率検出回路の出力信号を用いることにより、
制御電圧ＣＮＴが入力されて、表示率が大のときは、トランジスタＱ５がオン、トランジスタＱ６がオンとなって、電源電圧Ｖｄ１が大となり、また、表示率が小のときは、トランジスタＱ５がオン、トランジスタＱ６がオフとなって、電源電圧Ｖｄ１が小となる。【００２２】
図１に示したプラズマディスプレイ装置のサステイン回路では、上記ドライブ電圧制御回路ＶＤＣ２を用いることにより、表示率が高い時、出力素子Ｑ１〜Ｑ４へ供給するドライブパルスの振幅を大きくすることができ、この結果、出力素子Ｑ１〜Ｑ４の導通電圧を小さくすることができる。
一方、表示率が低い時には、ドライブパルスの振幅を小さくし、Ｑ１〜Ｑ４をドライブする上で必要最小限の振幅に設定し、プリドライブ回路１での消費電力を最小に抑えることができる。
【実施例２】
【００２３】
図４は、本発明のプラズマディスプレイ装置のサステイン回路の第２の実施例を示している。
図４に示したプラズマディスプレイ装置のサステイン回路では、出力素子Ｑ１に流れるサステイン電流を抵抗Ｒ１１で検出している。
ドライブ電圧制御回路ＶＤＣ２では、抵抗Ｒ１１で検出された電圧に応じて、プリドライブ回路１（ＰＤ１１）へ供給する電源電圧Ｖｄ１を制御している。
図４に示したプラズマディスプレイ装置のサステイン回路では、Ｑ１に流れるサステイン電流が大きい時にＶｄ１を高くし、Ｑ１へ供給するドライブパルスの振幅を大きくし、この結果、Ｑ１の導通電圧を小さくできる。【００２４】
一般に、表示率とサステイン電流の大きさとは相関関係があり、表示率が大きい時、上記サステイン電流は大きい。
よって、本実施例の構成により、表示率が大きい時における出力素子での導通電圧を小さくし、動作マージンの確保が可能となる。一方、表示率が小さくサステイン電流が小さい時、上記電源電圧Ｖｄ１を小さくできるため、プリドライブ回路１の消費電力を小さくすることができる。
【実施例３】
【００２５】
図５は、本発明のプラズマディスプレイ装置のサステイン回路の第３の実施例を示している。
図５に示したプラズマディスプレイ装置のサステイン回路では、出力素子Ｑ１に流れるサステイン電流をコイルＬ１１で検出している。
ドライブ電圧制御回路ＶＤＣ２では、コイルＬ１１で検出された電圧に応じて、プリドライブ回路１（ＰＤ１１）へ供給する電源電圧Ｖｄ１を制御している。
図５に示した回路では、Ｑ１に流れるサステイン電流が大きい時にＶｄ１を高くし、Ｑ１へ供給するドライブパルスの振幅を大きくし、この結果、Ｑ１の導通電圧を小さくできる。【００２６】
一般に、表示率サステイン電流の大きさとは相関関係があり、表示率が大きい時、上記サステイン電流は大きい。
よって、実施例１，２と同様に本実施例においても、表示率が大きい時の出力素子の導通電圧を小さくし、動作マージンの確保が可能となる。一方、表示率が小さくサステイン電流が小さい時、上記電源電圧Ｖｄ１を小さくできるため、プリドライブ回路１の消費電力を小さくすることができる。
【他の実施例】
【００２７】
図５に示した回路において、コイルＬ１１の代わりにカレントトランスを用い、カレントトランスの１次側にＱ１を接続し、カレントトランスの２次側に発生する電圧を利用してサステイン電流を検出しても良い。
図６は、スキャンドライバＳＤと、第１Ｙサステインパルス発生回路、及び、第２Ｙサステインパルス発生回路を、各々別のスイッチ素子を用いて構成している。
これに対し、上記スキャンドライバＳＤを使用せず、上記第１Ｙサステインパルス発生回路、及び、第２Ｙサステインパルス発生回路を用いて、スキャンパルスを発生させる方法が考えられる。
具体的な実施例としては、図１におけるＱ１、及び、Ｑ２をＹ電極１本毎に設け、Ｑ１、及び、Ｑ２をスキャン期間にオン・オフさせることによって、Ｙ電極へ供給するスキャンパルスを生成する方法である。
この際、サステイン期間でも上記Ｑ１、Ｑ２をオン・オフさせることによってサステインパルスを発生させている。上記スキャンパルスとサステインパルスを同一のスイッチ素子で形成することにより、回路規模の簡略化をはかることができる。
上記スキャンパルスとサステインパルスを同一のスイッチ素子で形成する場合でも、前述した実施例を応用し、Ｑ１、Ｑ２へ供給するドライブパルスの振幅を制御することにより、前述した実施例と同様の効果を上げることができる。
以下、本発明の構成例を付記に記載する。
【付記１】
【００２８】
入力された映像信号から、表示する画面の表示率を検出する表示立検出回路と、上記表示率に応じてサステイン回路における出力素子へ供給するドライブパルスの振幅を制御するドライブ電圧制御回路２を備えたプラズマディスプレイ装置。
【付記２】
【００２９】
付記１において、ドライブ電圧制御回路２は、サステイン出力素子へ供給するドライブパルスを形成するプリドライブ回路の電源電圧を制御する電源電圧制御回路であることを特徴とするプラズマディスプレイ装置。
【付記３】
【００３０】
付記１において、ドライブ電圧制御回路は、検出された表示率が高い時に、ドライブパルスの振幅を大きくすることを特徴とするプラズマディスプレイ装置。
【付記４】
【００３１】
付記２において、ドライブ電圧制御回路は、検出された表示率が高い時に、上記プリドライブ回路の電源電圧を高くすることを特徴とするプラズマディスプレイ装置。
【付記５】
【００３２】
サステイン期間において、プラズマディスプレイパネルへ供給するサステイン電流を検出するサステイン電流検出回路と、このサステイン電流検出回路の出力信号に応じて、サステイン回路における出力素子へ供給するドライブパルスの振幅を制御するドライブ電圧制御回路を備えたプラズマディスプレイ装置。
【付記６】
【００３３】
付記５において、サステイン電流検出回路は、抵抗を用いて構成されていることを特徴とするプラズマディスプレイ装置。
【付記７】
【００３４】
付記５において、サステイン電流検出回路は、コイルを用いて構成されていることを特徴とするプラズマディスプレイ装置。
【付記８】
【００３５】
付記８．付記７において、サステイン電流検出回路は、サステイン出力素子へ流れる電流を検出する電流検出トランスを用いて構成されていることを特徴とするプラズマディスプレイ装置。
【付記９】
【００３６】
付記１において、スキャン期間にプラズマディスプレイパネルへ供給するスキャンパルスと、サステイン期間にプラズマディスプレイパネルへ供給するサステインパルスの両者を同じ出力素子で駆動することを特徴とするプラズマディスプレイ装置。
【付記１０】
【００３７】
付記５において、スキャン期間にプラズマディスプレイパネルへ供給するスキャンパルスと、サステイン期間にプラズマディスプレイパネルへ供給するサステインパルスの両者を同じ出力素子で駆動することを特徴とするプラズマディスプレイ装置。
【付記１１】
【００３８】
サステイン期間においてプラズマディスプレイパネルへハイレベル電圧を供給するハイサイド出力素子と、サステイン期間においてプラズマディスプレイパネルへローレベル電圧を供給するローサイド出力素子を有するプラズマディスプレイ装置において、プラズマディスプレイパネルに表示する画像の表示率に応じて、上記ハイサイド出力素子及び上記ローサイド出力素子へ供給するドライブパルスの振幅を変化させることを特徴とするプラズマディスプレイ装置。
【付記１２】
【００３９】
付記１１において、表示率が高い時に、上記ドライブパルスの振幅を大きくすることを特徴とするプラズマディスプレイ装置。
【付記１３】
【００４０】
サステイン期間において、プラズマディスプレイパネルへハイレベル電圧を供給するハイサイド出力素子と、サステイン期間においてプラズマディスプレイパネルへローレベル電圧を供給するローサイド出力素子を有するプラズマディスプレイ装置において、サステイン期間にプラズマディスプレイパネルへ供給するサステイン電流を検出し、このサステイン電流に応じて、上記ハイサイド出力素子及び上記ローサイド出力素子へ供給するドライブパルスの振幅を変化させることを特徴とするプラズマディスプレイ装置。
【付記１４】
【００４１】
付記１３において、サステイン電流が大きい時に、上記ハイサイド出力素子及び上記ローサイド出力素子へ供給するドライブパルスの振幅を大きくすることを特徴とするプラズマディスプレイ装置。
【付記１５】
【００４２】
サステイン期間においてプラズマディスプレイパネルへハイレベル電圧を供給するハイサイド出力素子と、サステイン期間においてプラズマディスプレイパネルへローレベル電圧を供給するローサイド出力素子と、上記ローサイド素子がオンする直前でオンし、コイルを介してプラズマディスプレイパネルへ電流を供給する第１の電力回収スイッチと、上記ローサイド素子がオンする直前でオンし、コイルを介してプラズマディスプレイパネルへ電流を供給する第２の電力回収スイッチを有するプラズマディスプレイ装置において、プラズマディスプレイパネルに表示する画像の表示率に応じて、上記ハイサイド出力素子、上記ローサイド出力素子、第１の電力回収スイッチ、第２の電力回収スイッチへ供給するドライブパルスの振幅を変化させることを特徴とするプラズマディスプレイ装置。
【付記１６】
【００４３】
付記１５において、表示率が高い時に、上記ドライブパルスの振幅を大きくすることを特徴とするプラズマディスプレイ装置。
【付記１７】
【００４４】
サステイン期間においてプラズマディスプレイパネルへハイレベル電圧を供給するハイサイド出力素子と、サステイン期間においてプラズマディスプレイパネルへローレベル電圧を供給するローサイド出力素子と、上記ハイサイド素子がオンする直前でオンし、コイルを介してプラズマディスプレイパネルへ電流を供給する第１の電力回収スイッチと、上記ローサイド素子がオンする直前でオンし、コイルを介してプラズマディスプレイパネルへ電流を供給する第２の電力回収スイッチを有するプラズマディスプレイ装置において、サステイン期間にプラズマディスプレイパネルへ供給するサステイン電流を検出し、このサステイン電流に応じて、上記ハイサイド出力素子、上記ローサイド出力素子、第１の電力回収スイッチ、第２の電力回収スイッチへ供給するドライブパルスの振幅を変化させることを特徴とするプラズマディスプレイ装置。
【付記１８】
【００４５】
付記１７において、サステイン電流が大きい時にドライブパルスの振幅を大きくすることを特徴とするプラズマディスプレイ装置。
【付記１９】
【００４６】
付記２，４において、電源電圧制御回路は、図２または図３に示した回路であることを特徴とするプラズマディスプレイ装置。
【付記２０】
【００４７】
付記５，６において、サステイン電流検出回路、プリドライブ回路、ドライブ電圧制御回路の構成は、図４に示した回路であることを特徴とするプラズマディスプレイ装置。
【付記２１】
【００４８】
付記７，８において、サステイン電流検出回路、プリドライブ回路、ドライブ電圧制御回路の構成は、図５に示した回路であることを特徴とするプラズマディスプレイ装置。
【図１】
2007015309.tif 000002
【図２】
2007015309.tif 000003
【図３】
2007015309.tif 000004
【図４】
2007015309.tif 000005
【図５】
2007015309.tif 000006
【図６】
2007015309.tif 000007
【図７】
2007015309.tif 000008
【手続補正書】
【提出日】平成19年6月26日(2007.6.26)
【手続補正１】
【補正対象書類名】明細書
【補正対象項目名】００２６
【補正方法】変更
【補正の内容】
【００２６】
一般に、表示率とサステイン電流の大きさとは相関関係があり、表示率が大きい時、上記サステイン電流は大きい。
よって、実施例１，２と同様に本実施例においても、表示率が大きい時の出力素子の導通電圧を小さくし、動作マージンの確保が可能となる。一方、表示率が小さくサステイン電流が小さい時、上記電源電圧Ｖｄ１を小さくできるため、プリドライブ回路１の消費電力を小さくすることができる。
【手続補正２】
【補正対象書類名】明細書
【補正対象項目名】００２８
【補正方法】変更
【補正の内容】
【００２８】
入力された映像信号から、表示する画面の表示率を検出する表示率検出回路と、上記表示率に応じてサステイン回路における出力素子へ供給するドライブパルスの振幅を制御するドライブ電圧制御回路２を備えたプラズマディスプレイ装置。
【国際調査報告】
2007015309.tif 000009
2007015309.tif 000010
2007015309.tif 000011
2007015309.tif 000012